(57)【要約】【課題】毛糸の脱落を防ぎ、品質を向上させ、使用寿命を伸ばし、また生産性を向上できるモップヘッドを提供する。【解決手段】モップヘッド４０は、毛糸２０および円形枠１０が型内で一体成形されるため、生産性が向上する。また、一体成形の際、毛糸２０の上端部は、円形枠１０の枠内に設けられる環状リブ１３の上部に形成される収容空間を貫通するため、毛糸２０は円形枠１０と緊密に結合される。したがって、毛糸２０の脱落が防止され、品質を向上させ、使用寿命を伸ばすことができる。【選択図】図４
0003158498.tif 000002
【実用新案登録請求の範囲】
【請求項１】
中央に貫通孔を有し、軸方向に直交する一方の端面に周方向に沿って開口を有する円形枠本体と、
逆Ｕ字形に支持された上端部が前記円形枠本体の開口の底部に周方向に沿って配置され、円形枠本体と一体にインサート成形される複数の毛糸と、
前記インサート成形の際に前記円形枠本体の開口の内側に周方向に沿って同時に成形され、前記円形枠本体との間に形成される収容空間に前記毛糸の上端部を貫通させることにより前記毛糸の上端部を前記円形枠本体に緊密に固定する環状リブと、
を備えることを特徴とするモップヘッド。
【請求項２】
前記環状リブの前記円形枠本体の周方向に、前記環状リブと直交する複数の垂直リブが設けられ、前記環状リブと、互いに隣接する２つの前記垂直リブとにより断面形状がＨ形の固定構造が形成されることを特徴とする請求項１に記載のモップヘッド。
【請求項３】
前記円形枠本体は、前記貫通孔の内周面に複数の突出ストッパーを有することを特徴とする請求項１に記載のモップヘッド。
【請求項４】
前記円形枠本体の前記貫通孔の上方に円盤を嵌めることによって構成されることを特徴とする請求項３に記載のモップヘッド。
【考案の詳細な説明】
【技術分野】
【０００１】
本考案は、モップヘッドに関するもので、特に円形枠および毛糸を備えるモップヘッドに関する。
【背景技術】
【０００２】
モップは、日常生活に欠かせない掃除道具の一つであり、モップヘッドの毛糸によって床の汚物または液体を吸収し、床掃除を達成する。
【０００３】
早期のモップヘッドは、毛糸を束にしてプラスチック製の円形ヘッド部に固定するか、あるいは数多くの毛糸をプラスチック製または木質の細長いヘッド部に配列し固定することによって構成されていた。プラスチック製の円形ヘッド部またはプラスチック製または木質の細長いモップヘッドにも拘らず、毛糸が広がりにくいため、清潔効果が制限される。
【０００４】
それに対し、円盤回転式モップヘッドが業者によって開発された。円盤回転式モップヘッドは、棒体の底部に位置するモップヘッドが３６０度回転可能であり、毛糸が円形枠の底部に環状に配列・固定される。このような円盤回転式モップヘッドは清潔効果および実用性を確実に向上させた。
【０００５】
しかしながら従来の円盤回転式モップヘッドは、図１Ａと図１Ｂに示すように予め円形枠８０を製作し、円形枠８０に装着穴８１を開け、続いて図２Ａと図２Ｂに示すように人力または半自動方式で毛糸９０の端部９１を装着穴８１に植え込むことによって構成される。このような加工方式は時間がかかるだけでなく、コストが高く生産性が低い。また植え込み方式によって結合した毛糸９０および円形枠８０は安定していない。かつ円盤回転式モップヘッドを使用する際、回転が持続するため、毛糸が抜けやすくなる。従って、品質を低下させ、損耗を加速させ、使用寿命を短縮するという欠点があるため、改善の余地がある。
【考案の概要】
【考案が解決しようとする課題】
【０００６】
本考案の主な目的は、毛糸の脱落を防ぎ、品質を向上させ、使用寿命を伸ばすモップヘッドを提供することである。また、モップヘッドの生産性を向上することである。
【課題を解決するための手段】
【０００７】
上述の目的を達成するために、本考案によるモップヘッドは、円形枠本体、複数の毛糸、及び、環状リブを備える。
円形枠本体は、中央に貫通孔を有し、軸方向に直交する一方の端面に周方向に沿って開口を有する。
複数の毛糸は、逆Ｕ字形に支持された上端部が円形枠本体の開口の底部に周方向に沿って配置され、円形枠本体と一体にインサート成形される。
【０００８】
環状リブは、インサート成形の際に円形枠本体の開口の内側に周方向に沿って同時に成形され、円形枠本体との間に形成される収容空間に毛糸の上端部を貫通させることにより毛糸の上端部を円形枠本体に緊密に固定する。
【０００９】
毛糸および円形枠は型内で一体成形されるため、生産速度を高め、生産性を向上させ、コストを削減することができる。
【００１０】
一体成形の際、毛糸の上端部は、プラスチック製の円形枠の枠内に設けられる環状リブの上部に形成される収容空間を貫通するため、毛糸は円形枠と緊密に結合される。これにより、毛糸の脱落現象が起こりにくいだけでなく、品質を向上させ、使用寿命を伸ばすことが可能である。
【図面の簡単な説明】
【００１１】
【図１Ａ】従来の円盤形モップヘッドを示す立体図である。
【図１Ｂ】従来の円盤形モップヘッドを示す断面図である。
【図２Ａ】従来の円盤形モップヘッドの製作工程を示す説明図である。
【図２Ｂ】従来の円盤形モップヘッドの製作工程を示す説明図である。
【図３】本考案の一実施形態によるモップヘッドの外観を示す立体図である。
【図４】本考案の一実施形態によるモップヘッドを示す分解立体図である。
【図５】本考案の一実施形態によるモップヘッドに用いられる成形用型を示す断面図である。
【図６】本考案の一実施形態によるモップヘッドにおいて、成形用型によって一体成形が完了した状態を示す断面図である。
【図７】本考案の一実施形態によるモップヘッドを示す平面図である。
【図８】図７中の８−８線に沿った断面図である。
【図９】図８中の一部分の構造を示す拡大図である。
【図１０】図９中の１０−１０線に沿った断面図である。
【図１１】本考案の一実施形態によるモップヘッドにおける毛糸の支持棒の構造を示す立体図である。
【考案を実施するための形態】
【００１２】
以下、本考案によるモップヘッドを図面に基づいて説明する。
（一実施形態）
図３から図１０に示すように、本考案の一実施形態によるモップヘッドは、円形枠本体１０および数多くの毛糸２０を備える。
【００１３】
円形枠本体１０は、プラスチック射出成形によって形成され、中央に貫通孔１１を有する。数多くの毛糸２０は、円形枠本体１０の底部に配置される。本実施形態は貫通孔１１の内周面に複数の突出ストッパー１２を配置することが可能であるが、この配置方式には限らない。円盤３０の底部の突起環状枠３３に突出ストッパー１２を嵌めることによってモップヘッド４０を構成することが可能である。モップヘッド４０は、中央に回転可能な突起状の回転盤３１を有し、かつ回転盤３１の耳部３２と棒体５０とを連結することによってモップを構成することが可能である。
【００１４】
図５から図８に示すように、数多くの毛糸２０は、上端部２１が径方向に沿って円形枠本体１０上の型６０内に逆Ｕ形に配列される。図５に示すように、本実施形態において、型６０は上型６１と、下型６２と、上型６１および下型６２の間に形成されたキャビティ６３とを有する。キャビティ６３は円形枠本体１０の形に基づいて予め型で射出成形され、かつ少なくとも一つのゲート６４を有する。毛糸２０の上端部２１をキャビティ６３内にインサートした後、図６に示すように円形枠本体１０と毛糸２０の上端部２１に射出一体成形を行い、そののち成形用型６０から成形品を取り出せば、図７および図８に示した通り、本考案のモップヘッドが得られる。
【００１５】
本考案の特徴は次のとおりである。毛糸２０は支持棒７０の頂面の陥没部７１によってキャビティ６３内に詰め込まれるため、径方向に沿って円形枠本体１０のキャビティ６３内に逆Ｕ形に配列される。支持棒７０は図１１に示すように先端に環状Ｕ形部７２を有することによって毛糸２０の上端部２１の下方に環状の中空部を形成する。円形枠本体１０を射出成形する際、環状の中空部は注入通路に形成され、射出された材料はＵ形部７２内に充填される。支持棒７０を下向きに抜き出すと、円形枠本体１０に環状リブ１３が成形される。図９および図１０に示すように、環状リブ１３は毛糸２０の上端部２１に突っ張り、毛糸２０の上端部２１は逆Ｕ形内に制限されるため、毛糸２０を下に脱落させることはない。
【００１６】
本実施形態において、環状リブ１３は円形枠本体１０の周方向の両側に垂直リブ１４を有するため、断面形状がＨ形の固定構造１５が形成される。この場合、隣接する垂直リブ１４同士の間には中空部１６が設けられる。例えば２０束の毛糸２０を用いる場合、円形枠本体１０の底部に２０個のＨ形の固定構造１５が形成される。
あるいは、隣接する垂直リブ１４の間に中空部１６を設けなくてもよい。つまりＨ形の固定構造１５間を非中空構造とすることが可能である。この場合、成形された円形枠本体１０は、２０個の環状リブ１３の上方と円形枠本体１０の頂面１７との間に位置する逆Ｕ字形の収容空間１８以外の部位が非中空構造を呈する。
【００１７】
本考案は、毛糸２０の上端部２１を一体に射出成形し、Ｈ形の固定構造１５によって毛糸２０を結合させるため、毛糸２０は結合力によって逆Ｕ形の空間において相互に交差し、かつ脱落しにくくなって安定することができる。
以上、本考案は、上記実施形態になんら限定されるものではなく、考案の趣旨を逸脱しない範囲において種々の形態で実施可能である。
【００１８】
なお、出願人は、毛糸２０を成形用型６０内に自動的に送入し、裁断などのステップを行なう成形機器を別の案件として出願した。
【符号の説明】
【００１９】
１０：円形枠本体、  １１：貫通孔、  １２：突出ストッパー、  １３：環状リブ、  １４：垂直リブ、  １５：固定構造、  １６：中空部、  １７：頂面、  １８：収容空間、  ２０：毛糸、  ２１：上端部、  ３０：円盤、  ３１：回転盤、  ３２：耳部、  ３３：突起環状枠、  ４０：モップヘッド、  ５０：棒体、  ６０：型、  ６１：上型、  ６２：下型、  ６３：キャビティ、  ６４：ゲート、  ７０：支持棒、  ７１：陥没部、  ７２：Ｕ形部、
【図１Ａ】
0003158498.tif 000003
【図１Ｂ】
0003158498.tif 000004
【図２Ａ】
0003158498.tif 000005
【図２Ｂ】
0003158498.tif 000006
【図３】
0003158498.tif 000007
【図４】
0003158498.tif 000008
【図５】
0003158498.tif 000009
【図６】
0003158498.tif 000010
【図７】
0003158498.tif 000011
【図８】
0003158498.tif 000012
【図９】
0003158498.tif 000013
【図１０】
0003158498.tif 000014
【図１１】
0003158498.tif 000015